【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムであって、
前記位置管理装置は、
前記移動通信端末がホームリンクに接続している間、前記移動通信端末が接続するゲートウェイのＩＰアドレスである第２のＩＰアドレスを位置情報として、前記第１のＩＰアドレスと関連づけて管理し、
前記移動通信端末は、
前記ホームリンクに接続しており、
前記ホームリンクとの接続を切断して前記外部リンクへの接続を行うか、又は前記ホームリンクと前記外部リンクとに同時に接続を行うかを示す情報を、前記位置管理装置に登録し、
前記ホームリンクとの接続を切断して前記外部リンクに接続を行うと登録した場合には、前記ホームリンクを切断して前記外部リンクに接続し、前記外部リンクを介して全てのフローの通信を行い、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うことを特徴とする通信システム。
【請求項２】
前記移動通信端末は、
前記ホームリンクを介して通信を行うフローを識別する第１の情報と、前記外部リンクを介して通信を行うフローを識別する第２の情報とを管理し、
前記第１の情報及び前記第２の情報を前記位置管理装置に通知し、
前記移動通信端末及び前記位置管理装置は、前記第１の情報及び前記第２の情報に基づいて前記ホームリンクか前記外部リンクかのいずれかを選択し、通信を行うことを特徴とする請求項１に記載の通信システム。
【請求項３】
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける移動通信端末であって、
前記位置管理装置において、通信端末の識別情報として前記第１のＩＰアドレスと、位置情報として前記移動通信端末が接続するゲートウェイのＩＰアドレスである第２のＩＰアドレスとが、関連付けられて管理されるホームリンクに接続し、
前記ホームリンクとの接続を切断して前記外部リンクへの接続を行うか、又は前記ホームリンクと前記外部リンクとに同時に接続を行うかを示す情報を、前記位置管理装置に登録し、
前記ホームリンクとの接続を切断して前記外部リンクに接続を行うと登録した場合には、前記ホームリンクを切断して前記外部リンクに接続し、前記外部リンクを介して全ての通信を行い、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うことを特徴とする移動通信端末。
【請求項４】
前記ホームリンクを介して通信を行うフローを識別する第１の情報と、前記外部リンクを介して通信を行うフローを識別する第２の情報とを管理し、
前記第１の情報及び前記第２の情報を前記位置管理装置に通知し、
前記移動通信端末及び前記位置管理装置は、前記第１の情報及び前記第２の情報に基づいて前記ホームリンクか前記外部リンクかのいずれかを選択し、通信を行うことを特徴とする請求項３に記載の移動通信端末。
【請求項５】
複数の送受信部を有しており、前記ホームリンクに接続する場合と、前記外部リンクへ接続する場合とでは異なる送受信部を介して接続することを特徴とする請求項３又は４に記載の移動通信端末。
【請求項６】
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける位置管理装置であって、
前記移動通信端末がホームリンクに接続している間、前記移動通信端末が接続するゲートウェイのＩＰアドレスである第２のＩＰアドレスを位置情報として、前記第１のＩＰアドレスと関連付けられて管理し、
前記ホームリンクの接続を切断して前記外部リンクへの接続を行うか、前記ホームリンクと前記外部リンクに同時に接続を行うかを示す情報を前記移動通信端末から受信して登録し、
前記ホームリンクの接続を切断して前記外部リンクに接続を行うと登録した場合には、ホームリンクを切断して前記外部リンクに接続し、全ての通信を外部リンクを介して行い、
前記ホームリンクと前記外部リンクに同時に接続を行うと登録した場合には、ホームリンクに接続している状態で前記外部リンクに接続し、
通信フロー毎に前記ホームリンクか前記外部リンクかのいずれかを選択して通信を行うことを特徴とする位置管理装置。
【請求項７】
前記ホームリンクを介して通信を行うフローを識別する第１の情報と、前記外部リンクを介して通信を行うフローを識別する第２の情報とを前記移動通信端末から受信して管理し、
前記第１の情報及び前記第２の情報に基づいて、前記ホームリンクか前記外部リンクかのいずれかを選択することを特徴とする請求項６に記載の位置管理装置。
【請求項８】
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムの通信方法であって、
前記位置管理装置は、
前記移動通信端末がホームリンクに接続している間、前記移動通信端末が接続するゲートウェイのＩＰアドレスである第２のＩＰアドレスを位置情報として、前記第１のＩＰアドレスと関連づけて管理するステップを含み、
前記移動通信端末は、
前記ホームリンクに接続しており、
前記ホームリンクとの接続を切断して前記外部リンクへの接続を行うか、又は前記ホームリンクと前記外部リンクとに同時に接続を行うかを示す情報を、前記位置管理装置に登録するステップと、
前記ホームリンクとの接続を切断して前記外部リンクに接続を行うと登録した場合には、前記ホームリンクを切断して前記外部リンクに接続し、前記外部リンクを介して全ての通信を行うステップと、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うステップと、
を有することを特徴とする通信システムの通信方法。
【請求項９】
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける移動通信端末の通信方法であって、
前記位置管理装置において、通信端末の識別情報として前記第１のＩＰアドレスと、位置情報として前記移動通信端末が接続するゲートウェイのＩＰアドレスである第２のＩＰアドレスとが、関連付けられて管理されるホームリンクに接続するステップと、
前記ホームリンクとの接続を切断して前記外部リンクへの接続を行うか、又は前記ホームリンクと前記外部リンクとに同時に接続を行うかを示す情報を、前記位置管理装置に登録するステップと、
前記ホームリンクとの接続を切断して前記外部リンクに接続を行うと登録した場合には、前記ホームリンクを切断して前記外部リンクに接続し、前記外部リンクを介して全ての通信を行うステップと、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うステップと、
を有することを特徴とする移動通信端末の通信方法。
【請求項１０】
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける位置管理装置の登録方法であって、
前記移動通信端末がホームリンクに接続している間、前記移動通信端末が接続するゲートウェイのＩＰアドレスである第２のＩＰアドレスを位置情報として、前記第１のＩＰアドレスと関連付けられて管理するステップと、
前記ホームリンクの接続を切断して前記外部リンクへの接続を行うか、前記ホームリンクと前記外部リンクに同時に接続を行うかを示す情報を前記移動通信端末から受信して登録するステップと、
前記ホームリンクの接続を切断して前記外部リンクに接続を行うと登録した場合には、ホームリンクを切断して前記外部リンクに接続し、全ての通信を外部リンクを介して行い、
前記ホームリンクと前記外部リンクに同時に接続を行うと登録した場合には、ホームリンクに接続している状態で前記外部リンクに接続するステップと、
通信フロー毎に前記ホームリンクか前記外部リンクかのいずれかを選択して通信を行うステップと、
を有することを特徴とする位置管理装置の登録方法。
【手続補正２】
【補正対象書類名】明細書
【補正対象項目名】発明の名称
【補正方法】変更
【補正の内容】
【発明の名称】通信システム、移動通信端末、位置管理装置、通信システムの通信方法、移動通信端末の通信方法及び位置管理装置の登録方法
【手続補正３】
【補正対象書類名】明細書
【補正対象項目名】００３４
【補正方法】変更
【補正の内容】
【００３４】
上記課題を解決するために、本発明の通信システムは、
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムであって、
前記位置管理装置は、
前記移動通信端末がホームリンクに接続している間、前記移動通信端末が接続するゲートウェイのＩＰアドレスである第２のＩＰアドレスを位置情報として、前記第１のＩＰアドレスと関連づけて管理し、
前記移動通信端末は、
前記ホームリンクに接続しており、
前記ホームリンクとの接続を切断して前記外部リンクへの接続を行うか、又は前記ホームリンクと前記外部リンクとに同時に接続を行うかを示す情報を、前記位置管理装置に登録し、
前記ホームリンクとの接続を切断して前記外部リンクに接続を行うと登録した場合には、前記ホームリンクを切断して前記外部リンクに接続し、前記外部リンクを介して全てのフローの通信を行い、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うことを特徴とする。
本発明の移動通信端末は、
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける移動通信端末であって、
前記位置管理装置において、通信端末の識別情報として前記第１のＩＰアドレスと、位置情報として前記移動通信端末が接続するゲートウェイのＩＰアドレスである第２のＩＰアドレスとが、関連付けられて管理されるホームリンクに接続し、
前記ホームリンクとの接続を切断して前記外部リンクへの接続を行うか、又は前記ホームリンクと前記外部リンクとに同時に接続を行うかを示す情報を、前記位置管理装置に登録し、
前記ホームリンクとの接続を切断して前記外部リンクに接続を行うと登録した場合には、前記ホームリンクを切断して前記外部リンクに接続し、前記外部リンクを介して全ての通信を行い、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うことを特徴とする。
本発明の位置管理装置は、
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける位置管理装置であって、
前記移動通信端末がホームリンクに接続している間、前記移動通信端末が接続するゲートウェイのＩＰアドレスである第２のＩＰアドレスを位置情報として、前記第１のＩＰアドレスと関連付けられて管理し、
前記ホームリンクの接続を切断して前記外部リンクへの接続を行うか、前記ホームリンクと前記外部リンクに同時に接続を行うかを示す情報を前記移動通信端末から受信して登録し、
前記ホームリンクの接続を切断して前記外部リンクに接続を行うと登録した場合には、ホームリンクを切断して前記外部リンクに接続し、全ての通信を外部リンクを介して行い、
前記ホームリンクと前記外部リンクに同時に接続を行うと登録した場合には、ホームリンクに接続している状態で前記外部リンクに接続し、
通信フロー毎に前記ホームリンクか前記外部リンクかのいずれかを選択して通信を行うことを特徴とする。
本発明の通信システムの通信方法は、
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける通信方法であって、
前記位置管理装置は、
前記移動通信端末がホームリンクに接続している間、前記移動通信端末が接続するゲートウェイのＩＰアドレスである第２のＩＰアドレスを位置情報として、前記第１のＩＰアドレスと関連づけて管理するステップを含み、
前記移動通信端末は、
前記ホームリンクに接続しており、
前記ホームリンクとの接続を切断して前記外部リンクへの接続を行うか、又は前記ホームリンクと前記外部リンクとに同時に接続を行うかを示す情報を、前記位置管理装置に登録するステップと、
前記ホームリンクとの接続を切断して前記外部リンクに接続を行うと登録した場合には、前記ホームリンクを切断して前記外部リンクに接続し、前記外部リンクを介して全ての通信を行うステップと、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うステップと、
を有することを特徴とする。
本発明の移動通信端末の通信方法は、
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける移動通信端末の通信方法であって、
前記位置管理装置において、通信端末の識別情報として前記第１のＩＰアドレスと、位置情報として前記移動通信端末が接続するゲートウェイのＩＰアドレスである第２のＩＰアドレスとが、関連付けられて管理されるホームリンクに接続するステップと、
前記ホームリンクとの接続を切断して前記外部リンクへの接続を行うか、又は前記ホームリンクと前記外部リンクとに同時に接続を行うかを示す情報を、前記位置管理装置に登録するステップと、
前記ホームリンクとの接続を切断して前記外部リンクに接続を行うと登録した場合には、前記ホームリンクを切断して前記外部リンクに接続し、前記外部リンクを介して全ての通信を行うステップと、
前記ホームリンクと前記外部リンクとに同時に接続を行うと登録した場合には、前記ホームリンクに接続している状態で前記外部リンクに接続し、通信フロー毎に前記ホームリンクか、前記外部リンクかのいずれかを選択して通信を行うステップと、
を有することを特徴とする。
本発明の位置管理装置の登録方法は、
識別情報としての端末固有の第１のＩＰアドレスと、位置情報としてのＩＰアドレスとを対応づけて位置登録する位置管理装置と、前記位置管理装置にパケットを転送するゲートウェイを有してネットワークベースの移動管理が行われるホームリンクと、前記ホームリンク以外の外部リンクとに接続可能であり、複数のフローの通信可能な移動通信端末と、を備える通信システムにおける位置管理装置の登録方法であって、
前記移動通信端末がホームリンクに接続している間、前記移動通信端末が接続するゲートウェイのＩＰアドレスである第２のＩＰアドレスを位置情報として、前記第１のＩＰアドレスと関連付けられて管理するステップと、
前記ホームリンクの接続を切断して前記外部リンクへの接続を行うか、前記ホームリンクと前記外部リンクに同時に接続を行うかを示す情報を前記移動通信端末から受信して登録するステップと、
前記ホームリンクの接続を切断して前記外部リンクに接続を行うと登録した場合には、ホームリンクを切断して前記外部リンクに接続し、全ての通信を外部リンクを介して行い、
前記ホームリンクと前記外部リンクに同時に接続を行うと登録した場合には、ホームリンクに接続している状態で前記外部リンクに接続するステップと、
通信フロー毎に前記ホームリンクか前記外部リンクかのいずれかを選択して通信を行うステップと、
を有することを特徴とする。
【手続補正４】
【補正対象書類名】明細書
【補正対象項目名】００３５
【補正方法】削除
【補正の内容】
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】